(57)【要約】      （修正有）【課題】果実袋掛け具の構造を簡素化、軽量化し、安全で、長柄先端部との距離調節が可能なハンドルを提供する。【解決手段】ハンドル６の上部に筒状部６ａを配置し、筒状部には長柄１及びこれと平行し且つ下部にスリット２ａが明いたガイドパイプ２を挿通させ、ガイドパイプ内にラック４を挿通させ、ラックの前端にケーブルワイヤー５のインナーケーブル５ａを接続する。筒状部の下方に配置したレバーピン８にレバー１０を枢着してこれをスプリング９で付勢し、レバーの上端にはセクタギヤ１０ａを設け、セクタギヤの端部直近にミドルギヤ１１を配置してミドルギヤを、スリット２ａを通してラックに噛合させる。セクタギヤとミドルギヤとは普段噛合させず、レバーが回動された場合にのみ両者が噛合して係合関係が生じる構造とする。【選択図】図１
0003125000.tif 000002
【実用新案登録請求の範囲】
【請求項１】
上部に筒状部を有し、該筒状部には長柄並びにこれと平行し且つ下部に前後へ向けた長い開口部を持つ案内筒とが挿通されており、該案内筒内にはラックがあって、該ラックの一端にはボーデンケーブルのインナーワイヤーが接続されており、更に上記筒状部の下方にレバーが枢着されていて、該レバーの上端部にはセクタギヤがあり、該セクタギヤが直接、もしくは１個以上の別のギヤを介して、上記ラックと噛合する構造を持つ操作ハンドル。
【請求項２】
セクタギヤの一端とその直近にあるギヤもしくはラックとが普段僅かに離間しており、該セクタギヤが回動された場合に限り該ギヤもしくはラックと噛合して係合関係が生じる構造を持つ、請求項１の操作ハンドル。
【考案の詳細な説明】
【技術分野】
【０００１】  本考案は果樹栽培等で用いられる果実袋掛け具を始め、長柄の先端に装着された果実収穫具、高枝鋸、高枝剪定鋏などを操作する操作ハンドルに関するものである。
【背景技術】
【０００２】  これまで、ハンドルのレバーを握るだけで長いストロークを持つ線状駆動力を長柄の先端に向けて送達可能で、且つその先端部と操作ハンドル部との距離調節が可能な適当な操作ハンドルがなかった。そのため実用新案登録第３１１８１３２号の果実袋掛け具の紐輪牽引機構に於いて、ゴム輪と紐輪との合体部材を長く牽引するには、操作ハンドル部から伝達される小さな動きを長柄先端部で大きな動きに変換する必要があった。結果として同果実袋掛け具では先端部の構造が複雑で嵩張り、必ずしも実用的な作業具とはなり得ていなかった。【０００３】  一方、上記の果実袋掛け具に限らず、果実もぎ取り具（実用新案登録第３１１９０４６号）、高枝鋸（実用新案登録第３１２０６９５号）、果実収穫具（実用新案出願番号：実願２００６−１５２２）、高枝剪定鋏（実用新案出願番号：２００６−３５１９）等、長柄の先端に装着する各種作業具に用いるハンドルとして、先端部と操作部との距離調節が可能で、且つ先端部の屈曲をも可能ならしめるものとしては実用新案登録第３１１６４３０号、第３１１７２１８号などの方式があったが、いずれも可動のケーブルワイヤーが露出する構造にあり、安全面での難点があった。
【考案の開示】
【考案が解決しようとする課題】
【０００４】  斯様な状況に鑑み、極めて長い動作ストロークを持つ線状駆動力を果実袋掛け具に向け送達可能な操作ハンドルを提供して該果実袋掛け具の構造を簡素化、軽量化すると共に、長柄の先端に装着する各種作業具用としても可動部が露出しない構造の操作ハンドルを提供する為に本考案がなされた。
【課題を解決させる為の手段】
【構成】
【０００５】  本考案のハンドル構造としてはいくつかの実施例が考えられるが、先ず図１、図２及び図３に示す第一実施例についてその構造を説明し、続いて第二実施例、第三実施例、第四実施例について各相違部分のみを説明する。その後本考案のハンドルを果実袋掛け具に用いた応用例について説明する。
【０００６】  ハンドル（６）の上部にはハンドル筒状部（６ａ）があり、該ハンドル筒状部に長柄（１）及びガイドパイプ（２）が挿通されている。
【０００７】  長柄（１）は作業に適した長さのパイプで、特にハンドル装着部分は直線状になっている。長柄の下側には該長柄と平行してガイドパイプ（２）がバンド（３）によって固定されており、該ガイドパイプの下側にはスリット（２ａ）が明けられ、更に該ガイドパイプ内にはラック（４）が挿通されており、該ラックの前端にはケーブルワイヤー（５）のインナーケーブル（５ａ）が接続されている。
【０００８】  更に長柄（１）の途中には導出口（１ａ）が明けられており、該導出口を通してケーブルワイヤー（５）がパイプ状の長柄内部に挿通され、長柄の先端に装着される各種作業具と係合する。ケーブルワイヤーは一般にボーデンケーブルと呼ばれるもので、多数の細い鋼線を撚って作られたインナーケーブル（５ａ）を、鋼線を螺旋状に巻いたアウターチューブが被包した構造にあり、比較的柔軟に湾曲させ得る。
【０００９】  ハンドル筒状部（６ａ）の上には握りボルト（７）があって長柄に対する該ハンドルの動きを規制しており、又ハンドル筒状部の下にはハンドル箱状部（６ｂ）があり、更に下方へ向けてグリップ部が伸びている。ハンドル箱状部の下寄りにはレバーピン（８）があって、該レバーピンにレバー（１０）が軸着されており、該レバーピン部にスプリング（９）があってレバーを前方に付勢している。
【００１０】  レバー（１０）の上端には、該レバーと一体をなすセクタギヤ（１０ａ）があり、該セクタギヤの前端直近には、ハンドル箱状部に軸着された全円のミドルギヤ（１１）がある。即ちセクタギヤは普段該ミドルギヤとは噛合していないが、レバーが握られて回動されるとセクタギヤとミドルギヤとが噛合する位置関係にある。
【００１１】  ミドルギヤ（１１）は上記スリット（２ａ）を抜けてラック（４）と噛合している。
【００１２】  普段レバー（１０）とラック（４）との係合関係はないが、レバーが握られてセクタギヤが回動した時にはセクタギヤとミドルギヤとが噛合して係合関係が結ばれ、これに伴ってラック（４）が摺動してインナーケーブル（５ａ）が後方へ牽引される構造にある。
【００１３】  次に図４に示す第二実施例に於ける相違箇所を説明する。セクタギヤ（１０ａ’）は直接ミドルギヤ（１１’）に噛合せず、該ミドルギヤと同軸上にある小直径のピニオンギヤ（１２’）に噛合する。即ちレバーの動きはピニオンギヤ及びミドルギヤの二個のギヤを介してラック（４）に伝達される構造にある。レバーが握られて回動された場合にのみセクタギヤとピニオンギヤとが噛合する事を含め、その他部分の関係は第一実施例と同じであるが、ラック及びケーブルワイヤーの動作ストロークは第一実施例より長くなる。
【００１４】  次に図５に示す第三実施例の相違箇所を説明するが、レバーとラックとの間に介在するギヤの数量が第二実施例より２個増え、レバーピンの位置がハンドルの下端にあり、レバーの動きに比してラックの摺動ストロークが極めて長いのが特徴である。その他部分の関係は第一、第二実施例と同じである。
【００１５】  次に図６に示す第四実施例の相違箇所を説明する。全円のギヤを介在させず、セクタギャ（１０ａ’’’）が直接ラック（４）に噛合する。レバーが握られて回動された場合にのみセクタギヤとラックとが噛合する関係は第一、第二、第三実施例と同様である。
【００１６】  次に図７に示す、果実袋掛け具に本考案の操作ハンドルを用いた応用実施例の構造について説明するが、この内、袋口絞束機構部（Ａ）の詳細構造については実用新案登録第３１１８１３２号の明細書で説明されているので、簡潔に述べるに留める。
【００１７】  本考案の操作ハンドルを果実袋掛け具に用いる場合、袋口絞束機構部（Ａ）と紐輪牽引機構部（Ｂ）の二種の作業具を操作する必要性から、動作ストロークの異なる二種類のハンドルを用いるが、ここでは第一実施例のハンドル（６）を袋口絞束機構部（Ａ）に、又第二実施例のハンドル（６’）を紐輪牽引機構部（Ｂ）に用いた例をもって説明する。
【００１８】  長柄（１）はパイプ状で、ハンドル（６、６’）が装着される部分は直線状であり、該長柄の中間にはケーブルワイヤー（５、５’）をパイプ内から導出する為の導出口（１ａ、１ａ’、１ｂ、１ｂ’）が明けられている。長柄の先端には袋口絞束機構（Ａ）及び紐輪牽引機構（Ｂ）が装着され、後端近くには２個のハンドル（６、６’）が連装される。
【００１９】  長柄の、各ハンドルが装着される部分にはそれぞれ別のガイドパイプ（２、２’）が固定され、該ガイドパイプの中にラック（４、４’）があり、各ラックにはケーブルワイヤー（５、５’）のインナーケーブル（５ａ、５ａ’）が係合している。
【００２０】  ハンドル（６、６’）は、上部のハンドル筒状部（６ａ、６ａ’）に長柄及びガイドパイプが挿入された状態で、長柄後方寄りに装着され、握りボルト（７、７’）によりその動きが規制されている。即ち各ハンドルは握りボルトを緩めれば先端部との距離調節が可能な状態にある。
【００２１】  前側のハンドル（６）と係合するインナーケーブル（５ａ）の先端は袋口絞束機構（Ａ）に結ばれ、後側のハンドル（６’）と係合するインナーケーブル（５ａ’）は紐輪牽引機構（Ｂ）に結ばれている。両ケーブルワイヤーの先端はともに長柄（１）の外部で各動作部材に結ばれ、導出口（１ｂ、１ｂ’）からパイプ状の長柄内部に挿通され、更に中間部の導出口（１ａ、１ａ’）から再び長柄外に導出されてガイドパイプ（２、２’）の前端部で各ラック（４、４’）に接続され、各ハンドル（６、６’）に係合している。
【００２２】  袋口絞束機構（Ａ）では、長柄（１）の先端にフレーム（１５）が装着されており、該フレームの平板部上面には数個の軸受（１７）が円陣状に配置されている。各軸受の間には湾曲板（１６）が同数枢着されており、該湾曲板の上端外側には掛止溝（１６ａ）が彫られている。湾曲板の下端は二枚の円盤を重ねた形状の押下円盤（１８）の間にあって回動規制されており、該押下円盤の下にはコイルスプリング（１９）があって普段押下円盤を上方へ付勢している。更に該押下円盤は下方でリンケージ（２０）を介してインナーケーブル（５ａ）と係合している。即ちインナーケーブル（５ａ）が牽引されると、リンケージ（２０）、押下円盤（１８）に従動して開花状に開いている湾曲板（１６）が蕾み状に閉じ、インナーケーブルの牽引が解かれると該湾曲板が再び開花状に開く構造にある。
【００２３】  紐輪牽引機構（Ｂ）では、フレーム（１５）の平板部後方寄りに逆Ｌ字形の鉤棒受け（２１）が縦立しており、該鉤棒受けの曲折した先端は側方に張り出している。
【００２４】  フレーム（１５）の後端近く、即ち長柄取付部の近傍に、上方に伸びて上端近くが前方に向け逆Ｌ字形に屈曲した鉤棒（２２）が軸着されており、該鉤棒の枢軸部にはスプリング（２３）があって該鉤棒を前方に付勢し、普段先端部を上記鉤棒受け（２１）に掛架させている。鉤棒受けに掛架された鉤棒の先端位置は、開花状に開いた湾曲板（１６）の掛止溝（１６ａ）と同等高さで、且つ平面的には各掛止溝を結んだ円周付近にある。
【００２５】  鉤棒（２２）の先端は弾頭状に細まり、該弾頭状部（２２ｂ）の内側側面にはフック（２２ａ）がある。
【００２６】  鉤棒（２２）の枢軸よりやや上方にはインナーケーブル（５ａ’）が接続されている。即ちインナーケーブル（５ａ’）が牽引されると鉤棒（２２）が鉤棒受け（２１）から離れて後方へ大きく回動する構造にある。
【専用消耗部材】
【００２７】  本果実袋掛け具を使用する際、円錐形掛止部材（２４ａ）の底辺側にゴム輪（２４）を、又同先端側に紐輪（２４ｂ）をそれぞれ固結したものを、果実保護袋（２５）と共に専用消耗部材として用いる。
【各部品の働きと相互関係】
【００２８】  長柄（１）は頭上の果実などへのアプローチを容易にする働きをする。
【００２９】  ガイドパイプ（２、２’）はラック（４、４’）の摺動を案内し、バンド（３）はガイドパイプを長柄に固定する働きをする。
【００３０】  ハンドル（６、６’）は長柄先端の各機構を操作する駆動力の源となる。該ハンドルのレバー（１０、１０’）が握られると、セクタギヤ（１０ａ、１０ａ’）がミドルギヤ（１１）もしくはピニオンギヤ（１２’）に噛合して回転力を与え、この回転に従動してラック（４、４’）が摺動し、各ラックに接続されたインナーケーブル（５ａ、５ａ’）が後方へ牽引される。
【００３１】  セクタギヤ（１０ａ、１０ａ’）とミドルギヤ（１１）もしくはピニオンギヤ（１２’）とは普段僅かに離間しており、この離間によりハンドル（６、６’）は握りボルト（７、７’）を緩めるだけで長柄に沿っての位置調節が可能となる。
【００３２】  ケーブルワイヤー（５、５’）のインナーケーブル（５ａ、５ａ’）は、後方のハンドル（６、６’）よりラック（４、４’）を介して受けた駆動力を長柄先端部に装着された果実袋掛け具を始めとする各種作業具に伝達する。その際ケーブルワイヤーの可曲性が長柄先端部での曲折を可能ならしめる。
【００３３】  レバー（１０、１０’）が放されると、スプリング（９、９’）の付勢力によってレバーは前方に戻され、同時に長柄先端の各作業具に具備されたスプリングの付勢力も加わってインナーケーブルと共にラックが元の位置に戻され、セクターギヤとミドルギヤもしくはピニオンギヤとの噛合も断たれて各ギヤ類は自由になる。これにより握りボルト（７、７’）を緩めるだけで、対象の果実との距離や作業性に応じてハンドル（６、６’）の取付位置調節が可能となる。
【００３４】  袋口絞束機構（Ａ）のフレーム（１５）は袋口絞束機構全体を保持し、湾曲板（１６）はその内側に置かれた果実保護袋（２５）の袋口を絞る働きをし、掛止溝（１６ａ）はゴム輪（２４）と紐輪（２４ｂ）とを円錐形部材（２４ｂ）で固結した専用消耗部材の掛架を受ける。押下円盤（１８）及びリンケージ（２０）はインナーケーブル（５ａ）から受けた動きを湾曲板に伝えて該湾曲板を蕾み状に閉じさせる働きをし、コイルスプリング（１９）はレバー（１０）が放たれた時に該湾曲板を再び開花状に開かせる働きをする。
【００３５】  紐輪牽引機構（Ｂ）の鉤棒受け（２１）は、鉤棒（２２）にゴム輪（２４）を掛架する際に鉤棒の位置を安定させる働きをすると共に、該鉤棒が後方へ牽引回動された際、紐輪を支承して該紐輪の被牽引方向並びに被牽引高さを維持する働きをする。
【００３６】  鉤棒（２２）及びフック（２２ａ）は予め各湾曲板の掛止溝（１６ａ）に掛架されるゴム輪（２４）と紐輪（２４ｂ）の端を掛止する働きをすると共に、インナーケーブル（５ａ’）が牽引された際、該紐輪を後方へ牽引する。この時鉤棒先端の弾頭状部（２２ｂ）は、湾曲板（１６）が蕾み状に閉じられた際にゴム輪が鉤棒から滑脱するのを容易にする。
【００３７】  スプリング（２３）はレバー（１０’）が放された時に鉤棒を前方へ戻す働きをする。
【００３８】  専用消耗部材のゴム輪（２４）は絞束された袋口を絞止する働きをし、円錐形掛止部材（２４ａ）はゴム輪が復元して緩むのを防止し、紐輪（２４ｂ）は各湾曲板にゴム輪を掛架する際に、その外周距離を確保する為のものである。
【使用方法】
【００３９】  本袋掛け具を使用する際、使用者は予め開花状に開いている湾曲板（１６）の中央に果実保護袋（２５）を、上向きに口を開いて置き、鉤棒受け（２１）に掛架された鉤棒（２２）の弾頭状部（２２ｂ）にゴム輪（２４）を掛着し、各湾曲板の掛止溝（１６ａ）に連架した後、紐輪（２４ｂ）の端をフック（２２ａ）に掛着する。
【００４０】  目的の果実との距離を調節する場合は、握りボルト（７、７’）を緩めてハンドル（６、６’）の装着位置を調節する。
【００４１】  目的の果実に先端部が届いた時点で、当該果実が袋内に入るように下から支え上げ、袋口絞束機構側のレバー（１０）を握り、続いて紐輪牽引機構側のレバー（１０’）を握る。
【００４２】  袋口絞束機構側のレバー（１０）の操作によりインナーケーブル（５ａ）が牽引され、これに従動して湾曲板（１６）が蕾み状に閉じて袋口を絞束すると同時に、該湾曲板の各掛止溝（１６ａ）に連架されたゴム輪（２４）が該掛止溝から滑脱して袋口の外周に転位し、更に鉤棒（２２）に掛着されたゴム輪の端も弾頭状部（２２ｂ）から滑脱して、ゴム輪の中に紐輪（２４ｂ）が挿通された状態となる。
【００４３】  紐輪牽引機構側のレバー（１０’）の操作によりインナーケーブル（５ａ’）が牽引され、これに従動して鉤棒（２２）が後方へ回動してフック（２２ａ）に掛着された紐輪（２４ｂ）を牽引する。これに伴ってゴム輪と紐輪との間にある円錐形掛止部材（２４ａ）がゴム輪から抜出され、ゴム輪は掛止されて復元不能となり、袋口が恒久的に絞止される。
【００４４】  最後に両レバー（１０、１０’）を放し、湾曲板（１６）を開いて器具全体を果実から外し、器具全体を傾けるなどして、フック（２４ａ）から紐輪を外す。
【考案の効果】
【００４５】  本考案の操作ハンドルを果実袋掛け具に用いることにより、片手でレバーを握るだけで、極めて長い動作ストロークを持つ線状駆動力を該果実袋掛け具の動作部に送達することが可能となり、結果的に長柄先端部に於ける紐輪牽引機構の構造が極めて簡素化して実用性の高い果実袋掛け具が実現する事となる。
【００４６】  更に果実袋掛け具に限らず、本考案のハンドルを果実収穫具、高枝鋸、高枝剪定鋏などの各種作業具に用いる場合に於いても、先端部との距離調節が可能で、且つ可動部材が操作部付近で露出していない安全なハンドルを提供することとなる。
【００４７】  又、第一実施例から第四実施例に示すように、各種作業具が必要とする動作ストロークに応じて、セクタギヤとラックとの間に介在させるギヤの数量や径、組合せを変えて様々なバリエーションを容易に作れるのも本考案の特徴である。
【図面の簡単な説明】
【００４８】
【図１】は本考案第一実施例のハンドル構造を示す側断面図である。
【図２】は本考案第一実施例のハンドル構造を示す正面断面図である。
【図３】は本考案第一実施例のハンドルを示す外観斜視図である。
【図４】は本考案第二実施例のハンドル構造を示す側断面図である。
【図５】は本考案第三実施例のハンドル構造を示す側断面図である。
【図６】は本考案第四実施例のハンドル構造を示す側断面図である。
【図７】は本考案第一実施例並びに第二実施例のハンドルを果実袋掛け具に用いた時の装置全体を示す側断面図である。
【図８】は果実袋掛け具を用い、果実を入れた袋口をゴム輪で絞った時の状態を示す外観斜視図である。
【符号の説明】
【００４９】  １：長柄、  １ａ：導出口、  １ａ’：導出口、  １ｂ：導出口、  １ｂ’：導出口、  ２：ガイドパイプ、  ２’：ガイドパイプ、  ２ａ：スリット、  ２ａ’：スリット、  ３：バンド、  ４ラック、  ４’：ラック、  ５：ケーブルワイヤー、  ５’：ケーブルワイヤー、  ５ａ：インナーケーブル、  ５ａ’：インナーケーブル、  ６：ハンドル、  ６’：ハンドル、  ６’’：ハンドル、  ６’’’：ハンドル、  ６ａ：ハンドル筒状部、  ６ａ’：ハンドル筒状部、  ６ａ’’：ハンドル筒状部、  ６ａ’’’：ハンドル筒状部、  ６ｂ：ハンドル箱状部、  ６ｂ’：ハンドル箱状部、  ６ｂ’’：ハンドル箱状部、  ７：握りボルト、  ７’：握りボルト、  ８：レバーピン、  ８’：レバーピン、  ８’’：レバーピン、  ８’’’：レバーピン、  ９：スプリング、  ９’：スプリング、  ９’’：スプリング、  ９’’’：スプリング、  １０：レバー、  １０’：レバー、  １０’’：レバー、  １０’’’：レバー、  １０ａ：セクタギヤ、  １０ａ’：セクタギヤ、  １０ａ’’：セクタギヤ、  １０ａ’’’：セクタギヤ、  １１：ミドルギヤ、  １１’：ミドルギヤ、  １１’’：ミドルギヤ、  １２’：ピニオンギヤ、  １２’’：ピニオンギヤ、  １３’’：ラージギヤ、  １４’’：ピニオンギヤ、  １５：フレーム、  １６：湾曲板、  １６ａ：掛止溝、  １７：軸受、  １８：押下円盤、  １９：コイルスプリング、  ２０：リンケージ、  ２１：鉤棒受け、  ２２：鉤棒、  ２２ａ：フック、  ２２ｂ：弾頭状部、  ２３：スプリング、  ２４：ゴム輪、  ２４ａ：円錐形掛止部材、  ２４ｂ：紐輪、  ２５：果実保護袋、  Ａ：袋口絞束機構部、  Ｂ：紐輪牽引機構部。
【図１】
0003125000.tif 000003
【図２】
0003125000.tif 000004
【図３】
0003125000.tif 000005
【図４】
0003125000.tif 000006
【図５】
0003125000.tif 000007
【図６】
0003125000.tif 000008
【図７】
0003125000.tif 000009
【図８】
0003125000.tif 000010